(57)【要約】【課題】電源ＯＮまたは省エネ復帰してから実際に画像形成に使用できるまでの時間をできる限り短くする。【解決手段】電源ＯＮ時や省エネ復帰時に所定条件が成立した時には白レベル調整を行わないようにしたもので、所定条件が成立しない時には通常どおり白レベル調整を行う。所定条件とは、前回の白レベル調整実効時刻からの経過時間、電源立ち上げ時のランプ管面温度に関する条件である。そこで、白レベル調整は、初めにＡＭＰに基準ゲインを設定し（Ｓ２０１）、基準白板データを読み取る（Ｓ２０２）。読み取った基準白板データ値が狙ったある範囲のレベルを満足していれば終了し（Ｓ２０３）、満足しなければゲイン値を算出して再度基準白板データを読み取り（Ｓ２０４）、調整を繰り返す（Ｓ２０２、Ｓ２０３，Ｓ２０４，Ｓ２０５，Ｓ２０６，Ｓ２０７）。【選択図】図５
2007028530.tif 000002
【特許請求の範囲】
【請求項１】
原稿を光学的に読み取る読み取り手段と、
電源ＯＮ時または省エネ復帰時に白レベル調整を行う白レベル調整手段と、
を有する画像読み取り装置において、
前記白レベル調整手段は、前記電源ＯＮ時または前記省エネ復帰時に白レベルに関する所定条件が成立したときには、白レベル調整を制限することを特徴とする画像読み取り装置。
【請求項２】
前記所定条件が白レベル調整の前回実行時からの経過時間であり、その経過時間が所定時間以内の場合に前記白レベル調整を制限することを特徴とする請求項１記載の画像読み取り装置。
【請求項３】
前記白レベルに関する所定条件が光源の管面温度であり、その管面温度が所定値以下の場合に前記白レベル調整を制限することを特徴とする請求項１記載の画像読み取り装置。
【請求項４】
前記白レベル調整手段は、インターネットを介したサービスセンタからの指示に基づいて前記白レベル調整を実行することを特徴とする請求項１ないし３のいずれか１項に記載の画像読み取り装置。
【請求項５】
請求項１ないし４のいずれか１項に記載の画像読み取り装置を備えていることを特徴とする画像形成装置。
【発明の詳細な説明】
【技術分野】
【０００１】
本発明は、原稿画像を読み取るスキャナ等の画像読み取り装置、及びこの画像読み取り装置を備えたデジタル複写機、ファクシミリ、デジタル複合機等に用いられる画像形成装置に関する。
【背景技術】
【０００２】
一般的なデジタルコピー機は電源ＯＮ時及び省エネ復帰時に自動調整を行い、自動調整途中の白レベル調整時に、画像の白レベルデ−タが所定の白レベル（以下、白レベル目標値という）になるようにゲイン調整を行う。ゲインコントロールは基準白板の読取データに基づいて行われ、基準白板読取データ１ラインのピ−ク値が白レベル目標値になるようにゲインを調整する。ゲイン調整ではＡ／Ｄ変換器のダイナミックレンジを有効に使用できるようにＣＣＤ出力を増幅する。白レベル目標値はコピー時の周囲温度の影響や素子のばらつきによる影響を受ける際に発生するランプ光量のばらつきなどを考慮して決められ、コピー時にランプの光量が上記の影響を受けてばらついた場合でも画像白データが２５５（８ｂｉｔ時）を超えない様に設定されている。
【０００３】
なお、関連する技術として特許文献１に記載された発明が知られている。この発明は、ホワイトローラに形成された白基準面の画像を読み取り、白基準面を読み取ったときの画像信号のピーク値と予め設定した基準値とを比較し、その比較によってピーク値が基準値を下回ったときに白基準面が汚れていることを警告し、画像処理装置のシェーディング補正のための構成を簡略化している。
【特許文献１】特開平１１−４３４５号公報
【発明の開示】
【発明が解決しようとする課題】
【０００４】
従来技術のように、電源ＯＮ時または省エネ復帰時に自動調整で毎回白レベル調整を行うと、電源ＯＮまたは省エネ復帰してからコピー等の使用が可能になるまでに多くの時間が必要であった。
【０００５】
一方、従来の一般的なデジタルコピー機は、電源ＯＮ時及び省エネ復帰時は毎回自動調整を行っているため、前回白レベル調整実行時刻からほとんど時間が経過していない場合（例えば１部コピーした後に電源ＯＦＦ／ＯＮした場合）は、前回白レベル調整時と今回白レベル調整時でのゲイン調整結果はほぼ同等という結果になり、白レベル調整をする必要がない場合があった。
【０００６】
本発明は、このような従来技術の実情に鑑みてなされたもので、その目的は、電源ＯＮまたは省エネ復帰してから実際に画像形成に使用できるまでの時間をできる限り短くすることができるようにすることにある。
【課題を解決するための手段】
【０００７】
前記目的を達成するため、第１の手段は、原稿を光学的に読み取る読み取り手段と、電源ＯＮ時または省エネ復帰時に白レベル調整を行う白レベル調整手段とを有する画像読み取り装置において、前記白レベル調整手段が、前記電源ＯＮ時または前記省エネ復帰時に白レベルに関する所定条件が成立したときには、白レベル調整を制限することを特徴とする。
【０００８】
第２の手段は、第１の手段において、前記所定条件が白レベル調整の前回実行時からの経過時間であり、その経過時間が所定時間以内の場合に前記白レベル調整を制限することを特徴とする。
【０００９】
第３の手段は、第１の手段において、前記所定条件が光源の管面温度であり、その管面温度が所定値以下の場合に前記白レベル調整を制限することを特徴とする。
【００１０】
第４の手段は、第１ないし第３のいずれかの手段において、前記白レベル調整手段は、インターネットを介したサービスセンタからの指示に基づいて前記白レベル調整を実行することを特徴とする。
【００１１】
第５の手段は、第１ないし第４のいずれかの手段に係る画像読み取り装置を画像形成装置が備えていることを特徴とする。
【００１２】
なお、後述の実施形態において、読み取り手段はハロゲンランプ２、第１ミラー３、第２ミラー４、第３ミラー５及びＣＣＤ９に、白レベル調整手段はＣＰＵ３１及びＡＭＰ１０ｂに対応する。
【発明の効果】
【００１３】
本発明によれば、電源ＯＮ時または省エネ復帰時に白レベルに関する所定条件が成立したときには、前記白レベル調整手段は白レベル調整を制限するので、電源ＯＮまたは省エネ復帰してから実際に画像形成に使用できるまでの時間をできる限り短くすることができる
【発明を実施するための最良の形態】
【００１４】
以下、本発明の実施形態について図面を参照して説明する。
【００１５】
図１は一般的に使用されている画像読み取り装置ＳＣの概略構成を示す図である。すなわち、デジタル複写機のスキャナ装置のような原稿画像をＣＣＤで読み取り、画像信号をデジタル信号に変換して処理する画像読み取り装置ＳＣは、原稿を載置するコンタクトガラス１、原稿露光用のハロゲンランプ２、第１ミラー３、前記ハロゲンランプ２及び第１ミラー３を搭載した第１キャリッジ６、第２ミラー４、第３ミラー５、第２及び第３ミラー４，５が搭載された第２キャリッジ７、ＣＣＤリニアイメージセンサ（以下、ＣＣＤと略称する）９、第３ミラーからの反射光をＣＣＤ９に導く結像レンズ８、ＣＣＤ９及びＣＣＤ９で光電変換された電気信号の処理を行う処理回路が搭載されたセンサボード１０、及びこれらを収納する筐体からなるスキャナ本体１１から基本的に構成されている。また、コンタクトガラス１の第１キャリッジ６のホームポジション側の端部には白基準板１３が設けられている。これにより白基準板１３とコンタクトガラス１上の原稿の反射光を第１ミラー３からＣＣＤ９まで導いて光学的に読むことができる。
【００１６】
図２は、本実施形態に係る画像読み取り装置ＳＣの読み取りから読み取りデータの処理までの概略構成を示すブロック図である。センサボード１０には、ＣＣＤ９、Ｓ／Ｈ部１０ａ、ＡＭＰ部１０ｂ、ＡＤＣ部１０ｃ及び画像処理部１０ｄが搭載されている。ＣＣＤ９は、読取対象の原稿を光学的に結像させ、この結像された光信号をアナログの電気信号に変換して出力する撮像素子である。Ｓ／Ｈ部１０ａは、ＣＣＤ９からのアナログ信号をサンプルホールドする。ＡＭＰ部１０ｂは、Ｓ／Ｈ部１０ａでサンプルホールドされた信号にゲインを与えるもので、本発明の白レベル調整は、このＡＭＰ部１０ｂのゲインの調整のことである。ＡＤＣ１０ｃは入力され、サンプルホールドされてゲインがかけられたアナログ信号をデジタル信号に変換して出力するもので、画像処理部１０ｄはデジタル信号を使ってさまざまな処理を行う画像処理部である。
【００１７】
図３は、本実施形態に係る画像読み取り装置ＳＣの制御回路３０の構成を示すブロック図である。画像読み取り装置ＳＣの制御回路３０は、ＣＰＵ３１、ＲＯＭ３２、ＲＡＭ３３、ＮＶ−ＲＡＭ３４、操作部３５、電送制御部３６、画像メモリ３７、画像処理部１０ｄ、ＡＤＦ原稿検知部３９及びスキャナ圧板検知部３９からなる。ＣＰＵ３１は、ＲＯＭ３２、ＲＡＭ３３を有し、ＲＡＭ３３をワークエリアとして使用しながらＲＯＭ３２に格納されたプログラムを実行することにより画像読み取り装置全体の制御を行う。
【００１８】
操作部３５はオペレータが本実施形態に係る画像読み取り装置の操作入力を行うためのもので、実際には画像形成装置に設けられている。電装制御部３６では、画像読み取り装置の電装品の機構制御の制御全般のＩ／Ｆを行う。さらに、画像メモリ３７には画像処理のための画像情報及び画像処理後の画像情報が記憶され、画像処理部３８によって処理すべき画像データ及び処理された画像データが格納される。また、電装制御部３６には、ＡＤＦ原稿検知部３８とスキャナ圧板開閉検知部３９が接続されている。
【００１９】
図４は、本実施形態に係る画像読み取り装置ＳＣの電源ＯＮ時または省エネ復帰時の自動調整の制御手順を示すフローチャートで、図３に示したＣＰＵ３１によって実行される。
【００２０】
自動調整は、まず、ＳＢＵ（スキャナボードユニット）の電源ＯＮを確認し、ＳＢＵが通電しているか確認する（ステップＳ１０１）。次に、ＳＢＵ上に搭載されたＡＳＩＣレジスタの初期設定を行う（ステップＳ１０２）。その後、ランプ２を点灯し（ステップＳ１０３）、第１キャリッジ６をホーム位置に戻す際に基準白板１３の下へ移動し（ステップＳ１０４）、黒レベル調整（ステップＳ１０６）及び白レベル調整（ステップＳ１０７）を実行する。次いで、第１及び第２のキャリッジ６，７をホームポジションに移動させ（ステップＳ１０８）、ランプ２を消灯して（ステップＳ１０９）終了する。
【００２１】
黒レベル調整はＣＣＤ出力信号にオフセットを持たせる大きさを調整することである。白レベル調整は基準白板１３の読取レベルが白目標値になるようにゲイン値を調整するものである。
【００２２】
本発明は、白レベル調整に特徴があり、本実施形態では、電源ＯＮ時や省エネ復帰時に所定条件が成立した時に白レベル調整を行わないように設定されている。所定条件が成立しない時には通常どおり白レベル調整を行う。所定条件とは、「前回行った白レベル調整実効時刻からの経過時間がある決められた時間以内であるか」、「電源立ち上げ時のランプ管面温度がある決められた温度以下であるか」などである。また当然ながら、経過時間やランプ管面温度のスレッシュ位置は、画像読取装置の機種によって違ってくる。所定条件の決定方法は、例えば白レベル調整後の転写紙の画像と白レベル調整を実施しない場合の転写紙の画像に差異がみられないという観点から決める。
【００２３】
図５は白レベル調整の制御手順を示すフローチャートである。
【００２４】
白レベル調整の制御手順では、初めにＡＭＰ１０ｂ（図２参照）に基準ゲインを設定し（ステップＳ２０１）、基準白板データを読み取る。読み取った基準白板データ値が狙ったある範囲のレベルを満足していれば終了（ステップＳ２０３−ＹＥＳ）で、満足しなければゲイン値を算出して（ステップＳ２０４）再度基準白板データを読み取る。所定の回数以上になると（ステップＳ２０５−ＹＥＳ））エラーフラグを立てて（ステップＳ２０６）終了する（ステップＳ２０７）。これが一般的な白レベル調整である。自動調整の中で白レベル調整に占める時間の割合は大きい。なお、ステップＳ２０３では、
目標白レベル  ≧  基準白板データ読み取り値  ≧  目標白レベル−公差分
という式が成り立てば処理を終え、成り立たなければステップＳ２０４以降の処理を実行することになる。
【００２５】
図６は、ハロゲンランプ２の管面温度とランプ光量の関係を示す図である。管面温度が上がるとランプ光量が下がるため、多部数のコピー後や多部数の連続コピー後はランプの光量が熱くなって光量が下がっている。自動調整してから長時間使用して電源ＯＦＦ／ＯＮした後に再度自動調整をした場合、ランプの光量が下がっているため、ＡＭＰ部１０ｂのゲイン値が前回調整結果と比べて大きくなる。更に、自動調整してから１部コピーし、電源ＯＦＦ・ＯＮした後に再度自動調整をした場合、ランプの光量はほとんど変わらないためＡＭＰ部１０ｂのゲイン値は前回調整結果と比べてほとんど変わらない。後者の場合は、白レベル調整はする必要がなかったということになる。
【００２６】
そこで、本実施形態では、前回自動調整実行時刻からの経過時間が、ある所定の設定時間以内の場合、白レベル調整を実行せず、ある所定の設定時間より長い場合は白レベル調整を実施するようにしている。この場合には、図３に示すようにタイマ４１を設け、前記経過時間を計測し、画像読み取り装置のＣＰＵ３１で判断するか、インターフェース４０及びインターネット２０を介して接続されたサービスセンタ２１で前記経過時間を監視し、サービスセンタ２１の判断に基づいて白レベル調整の実行の是非が決定される。
【００２７】
また、ランプ２の管面温度に基づいて電源ＯＮまたは省エネ復帰時の白レベル調整の実行の是非を決定することもできる。この場合は、サーミスタ４２によってランプ２の管面温度を測定し、測定結果によって画像読み取り装置のＣＰＵ３１で判断するか、インターフェース４３及びインターネット２０を介して接続されたサービスセンタ２１で前記経過時間を監視し、サービスセンタ２１の判断に基づいて白レベル調整の実行の是非が決定される。白レベル調整結果はランプ光量が大きく影響を及ぼすため、ランプ管面温度は白レベル調整実行の是非を判断する有効な判断基準である。
【００２８】
図７はインターネット２０を介してサービスセンタ２１と３つの画像読み取り装置Ａ，Ｂ，Ｃが接続されたシステム構成を示す図である。図では１つのサービスセンタ２１でインターネット２０を中継手段として使用して３つの画像読み取り装置Ａ，Ｂ，Ｃを管理しているが、３つに限る必要はなく３つ以上の画像読み取り装置を管理してもよい。サービスセンタ２１では、管理している画像読み取り装置１台ずつの状況を把握している。電源ＯＦＦ中であるとかコピー中であるとかＦＡＸ受信中であるなどの全体的な情報管理から、現在のランプ管面温度や前回の白レベル調整実行時刻からの経過時間といった細かい情報の管理まで行っている。
【００２９】
サービスセンサ２１では、ランプ管面温度や前回の白レベル調整実行時刻からの経過時間など、白レベル調整結果に影響する情報を考慮し、次回の自動調整時での白レベル調整必要の是非を判断し、インターネット２０を通して、画像読み取り装置Ａ，Ｂ，Ｃに対して独立して白レベル調整実行是非の設定を行う。その際、サービスセンタ２１が白レベル調整実行是非の設定することなく、前述のように各々の画像読み取り装置Ａ，Ｂ，Ｃ，自体が白レベル調整実行有無を判断する機能を有し、画像読み取り装置Ａ，Ｂ，Ｃ自体が設定を行うように構成することもできる。この判断や設定は画像読み取り装置Ａ，Ｂ，Ｃに内蔵されているＣＰＵが判断し、命令することによって実行される。
【００３０】
図８は図１の画像読み取り装置ＳＣを備えた画像形成装置の一例を示すシステム全体の概略構成図である。同図において、画像形成装置はモノクロ画像形成用のもので本体４００と、画像形成装置本体４００の上部の設置された画像読み取り装置５００と、さらにその上に装着された自動原稿給送装置（以下、「ＡＤＦ」と称す）５５０と、画像形成装置本体４００の同図において右側に配置された大容量給紙装置７００と、画像形成装置本体４００の同図において左側に配置された用紙後処理装置８００とから基本的に構成されている。
【００３１】
画像形成装置本体４００は画像書き込み部４１０と、作像部４２０と、定着部４３０と、両面搬送部４４０と、給紙部４５０と、垂直搬送部４６０と、手差し部４７０とからなる。
【００３２】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００３３】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００３４】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００３５】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００３６】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００３７】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体４００側の画像形成動作の中断を避けることができるようになっている。
【００３８】
画像読み取り装置５００は、ＡＤＦ６００によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００３９】
ＡＤＦ５５０は両面読み取り機能を有するもので、画像読み取り装置５００のコンタクトガラス５１０設置面に開閉自在に取り付けられている。このＡＤＦ５５０では、原稿載置台５５１に載置された原稿が原稿読み取り時に自動的にコンタクトガラス５１０上に送り出される。
【００４０】
以上のように本実施形態によれば、以下のような効果を奏する。
【００４１】
１）電源ＯＮ時または省エネ復帰時の白レベル調整実行有無を所定の条件成立可否によって決めるので、画像品質を劣化させることなく、電源ＯＮまたは省エネ復帰からできる限り早くコピー等の使用が可能になる。
【００４２】
２）電源ＯＮ時または省エネ復帰時の白レベル調整の実行の有無を前回白レベル調整を実行した時刻からの経過時間によって決めるので、部品追加などでコストをかけずに画像品質を保つことができ、電源ＯＮまたは省エネ復帰からできる限り早くコピー等の使用が可能になる。
【００４３】
３）電源ＯＮ時または省エネ復帰時の白レベル調整の実行の有無をランプに取り付けたサーミスタで測定したランプ管面温度によって決めるので、予め設定した温度以下の場合は、白レベル調整を行わずに次工程に進むことができ、電源ＯＮまたは省エネ復帰からできる限り早くコピー等の使用が可能になる。
【００４４】
４）電源ＯＮ時または省エネ復帰時の白レベル調整実行有無を前回調整時刻や機内温度などから判断してサービスセンタからインターネットを通して設定するので、リアルタイムに自動調整の実行有無を設定して常に画像品質を維持する状態を保つことができる。加えて、何かトラブルが起こった際にもすぐに情報が入るのでユーザは安心して使用でき、電源ＯＮまたは省エネ復帰からできる限り早くコピー等の使用が可能になる。
【図面の簡単な説明】
【００４５】
【図１】一般的に使用されている画像読み取り装置の概略構成を示す図である。
【図２】本実施形態に係る画像読み取り装置の読み取りから読み取りデータの処理までの概略構成を示すブロック図である。
【図３】本実施形態に係る画像読み取り装置の制御回路の構成を示すブロック図である。
【図４】本実施形態に係る画像読み取り装置ＳＣの電源ＯＮ時または省エネ復帰時の自動調整の制御手順を示すフローチャートである。
【図５】白レベル調整の制御手順を示すフローチャートである。
【図６】ハロゲンランプの管面温度とランプ光量の関係を示す特性図である。
【図７】インターネットを介してサービスセンタと３つの画像読み取り装置が接続されているシステム構成を示す図である。
【図８】図１の画像読み取り装置を備えた画像形成装置の一例を示すシステム全体の概略構成図である。
【符号の説明】
【００４６】
１  コンタクトガラス
２  ハロゲンランプ
３，４，５  ミラー
６，７  キャリッジ
８  結像レンズ
９  ＣＣＤ
１０  センサボード
１０ａ  Ｓ／Ｈ部
１０ｂ  ＡＭＰ部
１０ｃ  ＡＤＣ部
１０ｄ  画像処理部
２０  インターネット
２１  サービスセンサ
３０  制御回路
３１  ＣＰＵ
３５  サブスイッチ
４０  インターフェース
４２  サーミスタ
Ａ，Ｂ，Ｃ，ＳＣ  画像読み取り装置
【図１】
2007028530.tif 000003
【図２】
2007028530.tif 000004
【図３】
2007028530.tif 000005
【図４】
2007028530.tif 000006
【図５】
2007028530.tif 000007
【図６】
2007028530.tif 000008
【図７】
2007028530.tif 000009
【図８】
2007028530.tif 000010